(57)【要約】【課題】シンクの材料を問わず、簡易にシンクの水はねを防止する。【解決手段】本考案のシンク用水はねガードは、シンクの開口部に着脱自在に固定され、水はねを防止するシンク用水はねガード１であって、弾性を有する材料で板状に形成されたガード本体と、ガード本体の少なくとも一方の面に設けられた複数の凹部２と、各凹部２の底面の中心に設けられ、凹部２の底面からガード本体の反対側の面へ貫通する貫通孔３と、を備え、各貫通孔３は、加圧時に開口する一方、非加圧時に閉塞する。【選択図】図３
0003195922.tif 000002
【実用新案登録請求の範囲】
【請求項１】
シンクの開口部に着脱自在に固定され、水はねを防止するシンク用水はねガードであって、
弾性を有する材料で板状に形成されたガード本体と、
前記ガード本体の少なくとも一方の面に設けられた複数の凹部と、
前記各凹部の底面の中心に設けられ、前記凹部の底面から前記ガード本体の反対側の面へ貫通する貫通孔と、を備え、
前記各貫通孔は、加圧時に開口する一方、非加圧時に閉塞することを特徴とするシンク用水はねガード。
【請求項２】
前記各貫通孔は、前記凹部の底面側を底面とする円錐状に形成されたことを特徴とする請求項１記載のシンク用水はねガード。
【請求項３】
前記各凹部は、前記ガード本体の少なくとも一方の面の半分以上の領域に設けられていることを特徴とする請求項１または請求項２記載のシンク用水はねガード。
【考案の詳細な説明】
【技術分野】
【０００１】
本考案は、シンクの開口部に着脱自在に固定され、水はねを防止するシンク用水はねガードに関する。このシンク用水はねガードは、「シンク用エプロン」と呼称することが可能である。
【背景技術】
【０００２】
従来から流し台が利用されている。流し台で水を用いる場合、水がはねて周囲が濡れてしまう場合がある。このため、例えば、特開２０１２−０６７５７２号公報には、流し台を使用するときに生じる水の飛沫を防ぎ、洋服や足元が濡れないようにするためのシンク用水はね防止板が開示されている。このシンク用水はね防止板は、使用者の腹部を覆う大きさの板を用いる。その板の上端部の２辺を曲線状に切り取り、下部にシート状の磁石を設けることによって、流し台に固定する構成が採られている。
【先行技術文献】
【特許文献】
【０００３】
【特許文献１】特開２０１２−０６７５７２号公報
【考案の概要】
【考案が解決しようとする課題】
【０００４】
しかしながら、上記のシンク用水はね防止板は、磁石を用いるため、シンクが磁石に反応しない材料で形成されている場合は、使用することができない。すなわち、シンクが鉄製であればシンク用水はね防止板をシンクに固定することができるが、シンクが磁石に付かない金属や樹脂で形成されている場合は、使うことができない。
【０００５】
本考案は、このような事情に鑑みてなされたものであり、シンクの材料を問わず、簡易にシンクの水はねを防止することができるシンク用水はねガードを提供することを目的とする。
【課題を解決するための手段】
【０００６】
（１）上記の目的を達成するために、本考案は、以下のような手段を講じた。すなわち、本考案のシンク用水はねガードは、シンクの開口部に着脱自在に固定され、水はねを防止するシンク用水はねガードであって、弾性を有する材料で板状に形成されたガード本体と、前記ガード本体の少なくとも一方の面に設けられた複数の凹部と、前記各凹部の底面の中心に設けられ、前記凹部の底面から前記ガード本体の反対側の面へ貫通する貫通孔と、を備え、前記各貫通孔は、加圧時に開口する一方、非加圧時に閉塞することを特徴とする。
【０００７】
このように、弾性を有する材料で板状に形成されたガード本体の少なくとも一方の面に、複数の凹部が設けられ、さらに、各凹部の底面の中心に、凹部の底面からガード本体の反対側の面へ貫通する貫通孔が設けられ、各貫通孔は、加圧時に開口する一方、非加圧時に閉塞するので、ガード本体をシンクの壁面に加圧することによって、凹部が変形し、貫通孔から凹部内の空気が外部に押し出される。そして、ガード本体への加圧を止めると、変形したガード本体が元に戻り、貫通孔が閉塞するので、凹部内は真空状態となる。その結果、ガード本体は、大気圧でシンクの壁面に抑えつけられ、固定される。一方、ユーザがガード本体をシンクから引き剥がす動作をすることによって、弾性を有するガード本体が変形し、貫通孔が開口し、凹部内に空気が入り込み、大気圧による加圧がなくなるため、容易にガード本体をシンクから取り外すことが可能となる。これにより、ガード本体をシンクの壁面に対して、容易に着脱することが可能となる。
【０００８】
（２）また、本考案のシンク用水はねガードにおいて、前記各貫通孔は、前記凹部の底面側を底面とする円錐状に形成されたことを特徴とする。
【０００９】
このように、各貫通孔は、凹部の底面側を底面とする円錐状に形成されているので、加圧時と非加圧時において、貫通孔の閉塞または開口という状態変化を容易に行なわせることが可能となる。さらに、複数の針状の突起を有する工具を用いることで、貫通孔の施工が容易となる。
【００１０】
（３）また、本考案のシンク用水はねガードにおいて、前記各凹部は、前記ガード本体の少なくとも一方の面の半分以上の領域に設けられていることを特徴とする。
【００１１】
このように、各凹部は、ガード本体の少なくとも一方の面の半分以上の領域に設けられているので、ユーザは、ガード本体がシンクの端部からどの程度突出させるかを自由に決定することが可能となる。また、ガード本体をシンクの壁面に十分な力で固定することが可能となる。
【考案の効果】
【００１２】
本考案によれば、ガード本体をシンクの壁面に対して、容易に着脱することが可能となる。また、加圧時と非加圧時において、貫通孔の閉塞または開口という状態変化を容易に行なわせることが可能となる。さらに、複数の針状の突起を有する工具を用いることで、貫通孔の施工が容易となる。
【図面の簡単な説明】
【００１３】
【図１】本実施形態に係るシンク用水はねガードの構成図である。
【図２】本実施形態に係るシンク用水はねガードの一部を拡大した図である。
【図３】本実施形態に係るシンク用水はねガードの断面図である。
【図４】本実施形態に係るシンク用水はねガードを加圧した状態を示す断面図である。
【図５】本実施形態に係るシンク用水はねガードの使用例を示す図である。
【考案を実施するための形態】
【００１４】
図１は、本実施形態に係るシンク用水はねガードの構成図である。図２は、本実施形態に係るシンク用水はねガードの一部を拡大した図である。シンク用水はねガード１は、ゴム、シリコンなどの弾性を有する材料によって、板状に形成されている。本実施形態では、シンク用水はねガード１の厚さは３ｍｍであるが、本考案は、この数値に限定されるわけではない。シンク用水はねガード１の一方の面には、複数の凹部２が設けられている。各凹部２の底面および開口部の形状は、直径が５ｍｍ〜６ｍｍの円であり、開口部から底面までの距離は約２ｍｍである。すなわち、各凹部２は、シンク用水はねガード１から、底面の直径が５ｍｍ〜６ｍｍで、高さが２ｍｍの円柱を切り取った形状を有している。各凹部２の底面の中心には、貫通孔３が設けられている。次に、この貫通孔３について、説明する。
【００１５】
図３は、本実施形態に係るシンク用水はねガードの断面図である。貫通孔３は、凹部２の底面の中心に設けられ、凹部２の底面の中心からシンク用水はねガード１の反対側の面へ貫通している。また、貫通孔３は、凹部２の底面側を底面とする円錐状に形成されている。このため、例えば、千枚通しなどを用いて、容易に貫通孔３を設けることが可能となる。シンク用水はねガード１が、弾性を有する材料によって形成されているため、シンク用水はねガード１を加圧しない状態（非加圧状態）では、貫通孔３は、閉塞しているが、シンク用水はねガード１を加圧した状態（加圧状態）では、貫通孔３は、開口する。
【００１６】
図４は、本実施形態に係るシンク用水はねガードを加圧した状態を示す断面図である。シンク用水はねガード１は、弾性を有する材料で形成されているため、加圧されると凹部２が変形する。その結果、貫通孔３も開口し、空気の出入りが可能となる。
【００１７】
図５は、本実施形態に係るシンク用水はねガードの使用例を示す図である。ユーザが、シンク用水はねガード１をシンクの壁面に押圧すると、図４に示されるように、凹部２が変形し、貫通孔３が開口する。その結果、凹部２の内側に存在する空気が外部に流出する。ユーザが押圧を止めると、シンク用水はねガード１が元の状態に戻るが、加圧時に空気が流出したため、凹部２の内部が真空状態となる。その結果、大気圧により、シンク用水はねガード１がシンクの壁面に固定されることとなる。
【００１８】
一方、ユーザがシンク用水はねガード１をシンクの壁面から剥がす動作をすると、シンク用水はねガード１が弾性を有する材料で形成されているため、容易に変形し、凹部２の内部に空気が流入する。その結果、大気圧による押圧力が無くなり、シンク用水はねガード１をシンクの壁面から容易に取り外すことが可能となる。
【００１９】
なお、本実施形態では、シンク用水はねガード１の片方の面に凹部２および貫通孔３を設けた例を示したが、本考案は、これに限定されず、シンク用水はねガード１の両面に凹部および貫通孔３を設けても良い。また、凹部２および貫通孔３の位置は、特に限定され
るわけではなく、シンク用水はねガード１の端部であっても良いし、中央付近であっても良い。
【００２０】
以上説明したように、本実施形態に係るシンク用水はねガード１を、シンクの壁面に対して、容易に着脱することが可能となる。また、加圧時と非加圧時において、貫通孔の閉塞または開口という状態変化を容易に行なわせることが可能となる。さらに、貫通孔の施工が容易となる。
【符号の説明】
【００２１】
１  シンク用水はねガード
２  凹部
３  貫通孔
【図１】
0003195922.tif 000003
【図２】
0003195922.tif 000004
【図３】
0003195922.tif 000005
【図４】
0003195922.tif 000006
【図５】
0003195922.tif 000007